(57)【要約】【課題】コンセント部等の設置面に埋設して設置される本体ユニットを備えた情報通信装置において、無線通信用のアンテナ素子を設けるにあたり、アンテナ素子の配置の自由度を向上して、安定且つ広範囲の無線通信を確立すると共に、無線通信規格の変更に簡単に対応可能とする。【解決手段】設置面Ｆに埋設して設置される本体ユニットＵ１を備え、アンテナ素子３０を駆動して無線信号の送受信を行うことで、外部の情報通信端末との間で無線通信を行う情報通信装置Ｋ１であって、設置面Ｆに埋設して設置された埋設設置状態の本体ユニットＵ１に対して着脱可能に構成され、アンテナ素子３０が設けられたアンテナユニットＵ２を備え、アンテナユニットＵ２を本体ユニットＵ１に装着した装着状態において、アンテナ素子３０が本体ユニットＵ１側に接続される。【選択図】図２
2018011166.tif 000002
【特許請求の範囲】
【請求項１】
設置面に埋設して設置される本体ユニットを備え、アンテナ素子を駆動して無線信号の送受信を行うことで、外部の情報通信端末との間で無線通信を行う情報通信装置であって、
前記設置面に埋設して設置された埋設設置状態の前記本体ユニットに対して着脱可能に構成され、前記アンテナ素子が設けられたアンテナユニットを備え、
前記アンテナユニットを前記本体ユニットに装着した装着状態において、前記アンテナ素子が前記本体ユニット側に接続される情報通信装置。
【請求項２】
前記本体ユニットが、前記埋設設置状態において前記設置面よりも前方に膨出する膨出部を有し、
前記アンテナユニットが、前記本体ユニットの前記膨出部に対して着脱自在に構成されている請求項１に記載の情報通信装置。
【請求項３】
前記本体ユニットの前面部に、前記埋設設置状態において前記設置面の前方側の室内空間に臨むインターフェースが設けられ、
前記アンテナユニットが、前記本体ユニットへの装着時において、前記本体ユニットの前面部の少なくともインターフェースを前記室内空間に露出させる構成を有する請求項１又は２に記載の情報通信装置。
【請求項４】
前記アンテナユニットが、前記本体ユニットへの装着時において、前記本体ユニットの前面部の外延部から後方に延出する周面部を囲う構成を有する請求項１〜３の何れか１項に記載の情報通信装置。
【請求項５】
仕様が異なる複数種の前記アンテナユニットを備えた請求項１〜４の何れか１項に記載の情報通信装置。
【発明の詳細な説明】
【技術分野】
【０００１】
本発明は、Ｗｉ−Ｆｉ（登録商標）やＷｉＭＡＸ（登録商標）などの無線ＬＡＮを行うためのアンテナ素子を備えた情報通信装置であって、特に、設置面に埋設して設置される本体ユニットを備え、アンテナ素子を駆動して無線信号の送受信を行うことで、外部の情報通信端末との間で無線通信を行う情報通信装置に関する。
【背景技術】
【０００２】
ノートパソコン、スマートフォン、タブレット端末のようなモバイル通信端末を用いて室内などで無線通信を行うために、無線ＬＡＮ用のアンテナ素子を備えた情報通信装置が室内に設置される。従来の情報通信装置としては、アンテナ素子を本体ユニットに内蔵し、当該本体ユニットを室内に面する壁面などの設置面に設置可能なものが知られている（例えば特許文献１，２及び３を参照。）。
【０００３】
上記特許文献３記載の情報通信装置は、設置面に対して本体ユニット全体を外部に露出させた姿勢で設置可能に構成されており、広範囲での無線通信を確立するべく、２つのアンテナ素子が本体ユニットに内蔵されている。
しかし、この種の情報通信装置では、設置面に対して本体ユニット全体が外部に露出していることから、設置面からの突出量が大きくなる。すると、設置箇所の美観が低下する上に、歩行の妨げになり易く、その歩行者との衝突などにより装置が損傷し易くなるという問題があった。
【０００４】
そこで、上記特許文献１及び２に記載の情報通信装置は、本体ユニット全体を外部に露出させるのではなく、設置面に設けられたコンセント部に本体ユニットの一部を埋設して設置可能に構成されている。よって、設置面からの突出量が極力小さくなり、上記のような美観の低下や歩行の邪魔になるなどの問題が回避されている。
【先行技術文献】
【特許文献】
【０００５】
【特許文献１】特開２０１６−０２１６１７号公報
【特許文献２】特開２０１３−１５７７３８号公報
【特許文献３】特開２００６−０５０５６４号公報
【発明の概要】
【発明が解決しようとする課題】
【０００６】
上記のような従来の情報通信装置において、安定且つ広範囲の無線通信を確立するためには、夫々のアンテナ素子を、送受信波の相互干渉が十分に抑制されるような配置状態で配置する必要がある。そして、上記特許文献３に記載の情報通信装置のように、本体ユニット全体が設置面から外部に露出する場合には、本体ユニットの大きさや形状に制限が略無いので、その内部において夫々のアンテナ素子を十分な離間距離を設けて略自由に配置することができる。しかしながら、上記特許文献１及び２に記載の情報通信装置のように、本体ユニットの少なくとも一部が設置面に設けられたコンセント部に埋設される場合には、そのコンセント部が標準化された市販の資材を利用したものであるために、本体ユニットの大きさや形状に制限が生じる。そして、このような大きさなどに制限がある本体ユニット内では、アンテナ素子を適切に配置することは困難であった。
【０００７】
また、このような情報通信装置では、例えば、無線ＬＡＮの周波数帯域や通信距離などに応じて複数の無線通信規格が存在する。そして、情報通信装置において、複数の無線通信規格等の複数種の仕様に対応するためには、夫々の仕様に適した複数種の形態でアンテナ素子を備える必要がある。しかしながら、設置面に埋設して設置される本体ユニットにアンテナ素子を内蔵する構成では、アンテナ素子の設置範囲に制限があるため、複数種の形態でアンテナ素子を設置するのは困難であった。よって、適用する仕様を変更する場合には、本体ユニットを交換する必要があった。
【０００８】
この実情に鑑み、本発明の主たる課題は、コンセント部等の設置面に埋設して設置される本体ユニットを備えた情報通信装置において、無線通信用のアンテナ素子を設けるにあたり、アンテナ素子の配置の自由度を向上して、安定且つ広範囲の無線通信を確立すると共に、無線通信規格等の仕様変更に簡単に対応可能とする技術を提供する点にある。
【課題を解決するための手段】
【０００９】
本発明の第１特徴構成は、設置面に埋設して設置される本体ユニットを備え、アンテナ素子を駆動して無線信号の送受信を行うことで、外部の情報通信端末との間で無線通信を行う情報通信装置であって、
前記設置面に埋設して設置された埋設設置状態の前記本体ユニットに対して着脱可能に構成され、前記アンテナ素子が設けられたアンテナユニットを備え、
前記アンテナユニットを前記本体ユニットに装着した装着状態において、前記アンテナ素子が前記本体ユニット側に接続される点にある。
【００１０】
本構成によれば、本体ユニットとは別に、埋設設置状態の本体ユニットに対して着脱自在なアンテナユニットを設け、そのアンテナユニットにアンテナ素子が設けられているので、アンテナ素子の設置範囲の制限が緩和される。よって、アンテナユニットにおいて、アンテナ素子の配置の自由度が向上し、例えばアンテナ素子を広範囲に設置して、安定且つ広範囲の無線通信を確立することができる。
更に、仕様変更に伴ってアンテナ素子の形態等を変更する場合であっても、本体ユニットの交換を必要とせずに、アンテナユニットに交換するだけで対応することができ、仕様変更に伴う本体ユニットの交換を回避することができる。
従って、本発明により、コンセント部等の設置面に埋設して設置される本体ユニットを備えた情報通信装置において、無線通信用のアンテナ素子を設けるにあたり、アンテナ素子の配置の自由度を向上して、安定且つ広範囲の無線通信を確立すると共に、無線通信規格等の仕様変更に簡単に対応可能とする技術を提供することができる。
【００１１】
本発明の第２特徴構成は、前記本体ユニットが、前記埋設設置状態において前記設置面よりも前方に膨出する膨出部を有し、
前記アンテナユニットが、前記本体ユニットの前記膨出部に対して着脱自在に構成されている点にある。
【００１２】
本構成によれば、本体ユニットに上記膨出部を設けるという簡単な構成により、その膨出部に対してアンテナユニットを着脱可能とすることができる。また、設置面よりも前方に膨出する膨出部に対してアンテナユニットが着脱されるので、そのアンテナユニットの着脱作業を、設置面の前面側で行うことができる簡単な作業とすることができる。
【００１３】
本発明の第３特徴構成は、前記本体ユニットの前面部に、前記埋設設置状態において前記設置面の前方側の室内空間に臨むインターフェースが設けられ、
前記アンテナユニットが、前記本体ユニットへの装着時において、前記本体ユニットの前面部の少なくともインターフェースを前記室内空間に露出させる構成を有する点にある。
【００１４】
本構成によれば、本体ユニットの前面部に設けられたインターフェースを設置面の前方側の室内空間に露出された状態を維持しながら、アンテナユニットを本体ユニットに装着することができる。このことにより、本体ユニットにアンテナユニットが装着された状態でも、当該本体ユニットの前面部のインターフェースに対する操作や視認などのアクセスを確保することができる。尚、本願においてインターフェースとは、状態の表示等を行うための表示部、状態の切り替え等を行うための操作部、有線通信用ケーブルの接続等を行うための接続部等がある。
【００１５】
本発明の第４特徴構成は、前記アンテナユニットが、前記本体ユニットへの装着時において、前記本体ユニットの前面部の外延部から後方に延出する周面部を囲う構成を有する点にある。
【００１６】
本構成によれば、アンテナユニットが、本体ユニットへの装着時において本体ユニットの周面部（前方から見た正面視において本体ユニットの外周部）を囲う構成を有するので、アンテナユニットを比較的大きな環状のものとして構成することができる。このことで、例えばアンテナ素子を一層広範囲に設置して、一層安定且つ広範囲の無線通信を確立することができる。
更に、正面視において、アンテナユニットの中心部には本体ユニットが存在することになるので、複数のアンテナ素子を設ける場合において、本体ユニットを間に挟んで離間する位置に夫々のアンテナ素子を分配配置することができ、夫々のアンテナ素子における送受信波の相互干渉を抑制し、夫々のアンテナ素子による無線通信を安定して行うことができる。
【００１７】
本発明の第５特徴構成は、仕様が異なる複数種の前記アンテナユニットを備えた点にある。
【００１８】
本構成によれば、仕様が異なる複数種のアンテナユニットを備えることで、その複数種のアンテナユニットから適当な一のアンテナユニットを選択して本体ユニットに装着すれば、状況や要望に応じた無線通信を行うための情報通信装置を構築することができる。即ち、本体ユニットを共通化し、複数種のアンテナユニットを準備するだけで、例えば無線通信規格等の複数種の仕様に対応した複数のバリエーションの情報通信装置を実現することができる。
【図面の簡単な説明】
【００１９】
【図１】情報コンセントにて情報通信装置が設置された状態を示す正面図
【図２】情報コンセントにて情報通信装置が設置された状態を示す左側面図
【図３】情報コンセントにて情報通信装置が設置された状態を示す背面図
【図４】本体ユニットに対しアンテナユニットを取り外した状態を示す情報通信装置の斜視図
【図５】本体ユニットに対しアンテナユニットを装着した状態を示す情報通信装置の斜視図
【図６】本体ユニットとアンテナユニットの接続状態を示すブロック図
【発明を実施するための形態】
【００２０】
本発明に係る情報通信装置の実施形態について図面に基づいて説明する。
図１、図２、及び図３に示すように、コンセント１は、壁Ｗに貫通形成された矩形状（長方形状）の開口Ｗａの後方側に設置したコンセントボックス２と、壁Ｗの前方側に配置されたコンセント１の外表面を覆うコンセントカバー３とを、それらの間において壁Ｗの前面部に当接する金属製の取付枠５を介して固定することにより構成されている。
【００２１】
このコンセント１には、図１に示すように、本発明の情報通信装置Ｋ１を含めて２つの機器Ｋ１，Ｋ２が装備されている。
つまり、コンセント１の右方側には、本発明の情報通信装置Ｋ１が設けられている。また、前面視（図１参照）においてコンセント１の左方側（背面視（図３参照）においてコンセント１の右方側）には、上下に２つの電源コンセント差込口を備えた電源コンセント用機器Ｋ２が設けられている。
【００２２】
コンセントボックス２には、図３に示すように、情報通信装置Ｋ１側の空間と電源コンセント用機器Ｋ２側の空間とを区画する区画壁２ａが設けられている。更に、このコンセントボックス２の上下には、上記区画壁２ａで区画された夫々の空間に対して、壁Ｗの後方側の空間に配線された電源ケーブル６１，６３や通信線の一例であるＷＡＮ側の通信ケーブル２２や電話ケーブル２５などを引き込むための挿入口２ｂ，２ｃが形成されている。
【００２３】
具体的に、情報通信装置Ｋ１側の空間では、上側挿入口２ｂを介して、通信ケーブル２２や電話ケーブル２５が引き込まれ、下側に形成された下側挿入口２ｃを介して、商用電力を情報通信装置Ｋ１に供給するための一対の電源ケーブル６１からなる電源ケーブル６１が引き込まれる。
一方、電源コンセント用機器Ｋ２側の空間では、図３に示すように、上側挿入口２ｂを介して、商用電力を電源コンセント用機器Ｋ２に供給するための電源ケーブル６３が引き込まれ、下側に形成された下側挿入口２ｃを介して、商用電力を情報通信装置Ｋ１に供給するための電源ケーブル６１が引き込まれる。
【００２４】
更に、電源コンセント用機器Ｋ２の背面部には、電源線を着脱自在に差し込み接続可能な電源ケーブル接続部６２と、同じく電源線を着脱自在に差し込み接続可能な電源ケーブル接続部６０とが、上下に配置されており、これらは前面部に設けられた電源コンセント差込口（図１参照）に夫々が電気的に導通している。更に、夫々の電源ケーブル接続部６０，６２が電気的に導通している。
【００２５】
そして、上側挿入口２ｂを介して引き込まれた電源ケーブル６３が、電源コンセント用機器Ｋ２の背面部の上側に設けられた電源ケーブル接続部６２に接続され、一方、下側挿入口２ｃを介して引き込まれた電源ケーブル６１が、電源コンセント用機器Ｋ２の背面部の下側に設けられた電源ケーブル接続部６０に接続される。そして、電源ケーブル６１は、電源コンセント用機器Ｋ２から、コンセントボックス２の区画壁２ａの下端部を迂回して、情報通信装置Ｋ１に案内されることになり、この電源ケーブル６３を介して、電源コンセント用機器Ｋ２に供給された商用電力が、電源ケーブル６１を介して情報通信装置Ｋ１に供給されることになる。
【００２６】
図１及び図２に示すように、コンセントカバー３には、各機器Ｋ１，Ｋ２に対応した形状の取付口４が左右に並んで互いに隣接して形成されており、各取付口４を通して各機器Ｋ１，Ｋ２の前面部分が外部である室内に露出する形態で取り付けられている。よって、本実施形態では、このコンセントカバー３の前面部が、各機器Ｋ１，Ｋ２が埋設して設置される設置面Ｆに相当する。
【００２７】
コンセント１は、情報通信装置Ｋ１に加えて、その情報通信装置Ｋ１とは異なる機器として、電源コンセント用機器Ｋ２が互いに隣接して設置面Ｆに埋設して設置された情報コンセントとして構成されている。尚、これら機器Ｋ１，Ｋ２以外に、テレビアンテナ用の同軸ケーブルを接続する同軸ケーブル接続用ユニットやその他の機器ユニットを設置しても構わず、また、このような情報通信装置Ｋ１以外の機器ユニットを配置することなく、情報通信装置Ｋ１のみを単独で設置しても構わない。
【００２８】
以下、情報通信装置Ｋ１の構成について、図１〜図６に基づいて説明する。
情報通信装置Ｋ１は、詳細については後述するが、設置面Ｆに埋設して設置される本体ユニットＵ１と、設置面Ｆに埋設して設置された埋設設置状態の本体ユニットＵ１に対して着脱可能に構成されたアンテナユニットＵ２で構成されている。以下、本体ユニットＵ１とアンテナユニットＵ２の夫々構成について説明する。
【００２９】
〔本体ユニット〕
本体ユニットＵ１は、図３等に示すように、設置面Ｆに埋設して設置可能に構成されたケーシング１０を備える。そのケーシング１０の背面部１８側には、商用電力を供給する一対の電源ケーブル６１が着脱自在に差し込み接続される一対の電源線接続口５２が設けられている。
【００３０】
本体ユニットＵ１のケーシング１０は、図２及び図４等に示すように、設置面Ｆに対して直交する前後方向（壁Ｗの表裏方向）から互いに脱着自在に嵌合する前側分割ケーシング１０Ａと後側分割ケーシング１０Ｂとで二分割されたケーシングである。また、前側分割ケーシング１０Ａは樹脂製の成形品であるが、後側分割ケーシング１０Ｂは電波シールド性が良好なアルミニウムや亜鉛鋼製等のダイキャストによるものとして構成されている。
【００３１】
また、この後側分割ケーシング１０Ｂにおける背面部１８及び周面部１９の表面には複数の溝が形成されて、表面積が拡大されている。これらのことで、後側分割ケーシング１０Ｂの表面から外部への放熱が促進され、内部の昇温が抑制されている。尚、ケーシング１０の内部には、詳細な説明は割愛するが、各種アダプタやコネクタ以外に、無線ＬＡＮ用アンテナ、コンバータ、各種回路基板などが実装されており、例えば、図６等に示すように、通信制御用の回路基板からなる通信制御部３１やアンテナ制御用の回路基板からなるアンテナ制御部３２等が設けられている。
【００３２】
前側分割ケーシング１０Ａは、図２及び図４等に示すように、前方側に面する前面部１１と、その前面部１１の外周縁側から後方側に延出する周面部１２とを有する。更に、周面部１２の後方側には、側方側に延出して設置面Ｆの後方側（具体的にはコンセントカバー３の後方側）に設けられた取付枠５に固定されるフランジ部１３が形成されている。そして、このフランジ部１３が取付枠５に固定された状態では、取付口４に挿入された周面部１２の前方側及び前面部１１が、設置面Ｆよりも前方側（室内側）に膨出する膨出部Ａとなる。
【００３３】
図１及び図４等に示すように、前面部１１は、コンセントカバー３の前面部に沿って上下方向に延びる略長方形の帯状に形成されており、詳しくは鉛直方向に沿った平面で構成されており、この前面部１１には、設置面Ｆの前方側の室内空間に臨むインターフェースが設けられている。
【００３４】
具体的に、上記インターフェースとしては、以下に示すものが設けられている。即ち、前面部１１の上側には、電話回線用モジュラープラグが脱着自在に接続される電話回線用モジュラーアダプタの接続口１４が設けられている。更に、同上側には、表示ランプ１６やリセットボタン１７などが設けられている。表示ランプ１６としては、情報通信装置Ｋ１の電源の投入状態を示す電源インジケータや、ルーティング機能（有線ＬＡＮや無線ＬＡＮを利用した情報通信機能）の利用可能状態を示すＬＡＮインジケータやネットワークのアクセス状態を示すアクセスインジケータなどが設けられている。
一方、前面部１１の下側には、ＬＡＮ用モジュラーアダプタが脱着自在に接続されるＬＡＮ用モジュラーアダプタの接続口１５が設けられている。
【００３５】
後側分割ケーシング１０Ｂは、図２、図３及び図４等に示すように、後方に面する背面部１８と、その背面部１８の外周縁側から前方に延出する周面部１９とを有し、この周面部１９の前方側に、前側分割ケーシング１０Ａが組み付けられる。
【００３６】
後側分割ケーシング１０Ｂにおける背面部１８の上方側の縁部には、ＷＡＮ側の通信ケーブル２２のモジュラージャック２１が脱着自在に接続されるＷＡＮ用モジュラーアダプタ２０が、その接続口を斜め上方に向けて露出開口させた姿勢で装備されている。また、同縁部には、６極２芯の電話ケーブル２５の二本の芯線が脱着自在に差し込み接続される通信回線接続口２３が、その縁部に形成された段部において上方に向けて露出開口させた姿勢で装備されている。
【００３７】
更に、後側分割ケーシング１０Ｂの背面部１８の外周縁に形成された一対の凹部５１の夫々には、商用電力を供給する一対の電源ケーブル６１が着脱自在に差し込み接続される一対の電源線接続口５２を有する電源線接続用アダプタが、それらの電源線接続口５２を後方に向けて露出開口させた姿勢で装備されている。
【００３８】
〔アンテナユニット〕
一方、アンテナユニットＵ２は、図１、図２及び図４等に示すように、ケーシング２６にアンテナ素子３０を内蔵しており、そのケーシング２６が、埋設設置状態の本体ユニットＵ１において設置面Ｆよりも前面側に膨出する膨出部Ａに対して着脱自在に構成されている。
【００３９】
更に、アンテナユニットＵ２のケーシング２６は、本体ユニットＵ１への装着時において、本体ユニットの前面部１１の外延部から後方に延出する周面部１２を囲う構成、言い換えれば、周面部１２全体に沿った矩形環状の構成を有するものとして構成されている。具体的に、ケーシング２６は、直方体の外形を有し、外周の４面を構成する周面壁部２７と、その前方側に設けられた前面壁部２８とからなる。そして、この前面壁部２８は、本体ユニット１１の膨出部Ａが挿入される矩形の開口部２９を有する環状に形成されている。アンテナ素子３０は、ケーシング２６の外周の４隅側に分散配置され、ケーシング２６を構成する壁部２７，２８の内壁面に沿って設けられており、本実施形態では、各アンテナ素子３０は、断面Ｌ字上に屈曲形成された板状に構成され、周面壁部２７の内壁面と前面壁部２８の内壁面とからなる４つの角部の夫々において、当該内壁面に当て付けた状態で配置されている。
【００４０】
図６に示すように、アンテナユニットＵ２を本体ユニットＵ１に装着した装着状態において、本体ユニットの前面部１１の上下縁部に設けられた接続端子３３を通じて、アンテナユニットＵ２に設けられたアンテナ素子３０が、本体ユニットＵ１に設けられたアンテナ制御部３２に接続される。そして、本体ユニットＵ１のアンテナ制御部３２は、アンテナユニットＵ２に設けられたアンテナ素子３０を駆動して無線信号の送受信を行うことで、通信制御部３１が外部の情報通信端末との間で無線通信を可能とする。
【００４１】
以上のようにアンテナユニットＵ２を本体ユニットＵ１に対して着脱自在なものとして構成されているので、例えば４つのアンテナ素子３０をアンテナユニットＵ２の４つの角部に配置するというように、アンテナ素子３０を広範囲に設置することで、安定且つ広範囲の無線通信が確立されている。
【００４２】
更に、仕様が異なる複数種のアンテナユニットＵ２が準備されており、これら複数種のアンテナユニットＵ２から一のアンテナユニットＵ２が選択され、当該選択されたアンテナユニットＵ２が本体ユニットＵ１に装着される。このことにより、状況や要望に応じた無線通信を行うための情報通信装置Ｋ１を構築することができる。即ち、本体ユニットＵ１については、コンセント１に対して埋設して設置される共通の形態のものとして構成し、アンテナユニットＵ２については例えば仕様毎に複数種のものを準備するだけで、複数の仕様に対応した複数のバリエーションの情報通信装置Ｋ１が実現されることになる。
【００４３】
尚、アンテナユニットの仕様としては、無線ＬＡＮの周波数帯域や通信距離などに応じた無線通信規格に関する仕様、アンテナ素子３０と電波シールドとの相関配置状態等により設定されるアンテナ素子３０の指向性に関する仕様、アンテナ素子３０の大きさや形状等により設定されるアンテナ素子３０のレベル（送受信強度）に関する仕様、その他のアンテナ素子３０の配置状態や配置個数などに関する仕様等を挙げることができ、これらの仕様毎に複数種のアンテナユニットＵ２が製作される。
【００４４】
また、アンテナユニットＵ２は、例えば周面部１２全体に沿った矩形環状の構成を有することから、本体ユニットＵ１の前面部１１を、設置面Ｆの前方側の室内空間に露出させる構成を有する。このことにより、本体ユニットＵ１にアンテナユニットＵ２が装着された状態でも、当該本体ユニットＵ１の前面部１１のインターフェースに対する操作や視認などのアクセスが確保されている。
【００４５】
また、図２に示すように、アンテナユニットＵ２の外底面には、スライド式の電源スイッチ４０が設けられており、図示は省略するが、アンテナユニットＵ２を本体ユニットＵ１に装着した装着状態において、電源スイッチ４０が本体ユニットＵ１の電源回路と接続され、電源スイッチ４０のスライド操作により情報通信装置Ｋ１の電源の入切を操作することができる。
【００４６】
〔別実施形態〕
（１）上記実施形態では、アンテナユニットＵ２を、本体ユニットＵ１の膨出部Ａに対して着脱自在に構成すると共に、本体ユニットＵ１への装着時において、当該本体ユニットＵ１の前面部１１の外延部から後方に延出する周面部１２を囲う構成としたが、アンテナユニットＵ２の本体ユニットＵ１への装着構造については適宜改変しても構わない。
例えば、アンテナユニットＵ２を、本体ユニットＵ１の周面部１２の一部や前面部１１に沿う形態で本体ユニットＵ１に装着される構成としたり、本体ユニットＵ１に設けた凹部や開口部にアンテナユニットＵ２の少なくとも一部を挿入する形態で本体ユニットＵ１に装着される構成とすることができる。
【００４７】
（２）上記実施形態では、アンテナユニットＵ２を、本体ユニットＵ１への装着時において、本体ユニットＵ１の前面部１１全体を設置面Ｆの前方側の室内空間に露出させる構成としたが、例えば、本体ユニットＵ１の前面部１１の接続口１４，１５や表示ランプ１６やリセットボタン１７などのインターフェースの配置箇所のみを室内空間に露出させ、他の前面部１１を覆う構成としても構わない。
【００４８】
（３）上記実施形態では、アンテナ素子３０の形状及び配置の一例を説明したが、当然、アンテナ素子３０の形状及び配置は適宜改変しても構わない。
【００４９】
（４）上記実施形態では、情報通信装置Ｋ１を、有線ＬＡＮ用モジュラーアダプタ用及び電話回線用モジュラーアダプタ用の接続口１４，１５を備えたタイプとして構成したが、別に、これら接続口１４，１５を備えずに、無線ＬＡＮ用アンテナによる無線通信のみを行うタイプとして構成しても構わない。
【符号の説明】
【００５０】
１４    接続口（インターフェース）
１５    接続口（インターフェース）
１６    表示ランプ（インターフェース）
１７    リセットボタン（インターフェース）
３０    アンテナ素子
Ａ      膨出部
Ｆ      設置面
Ｋ１    情報通信装置
Ｕ１    本体ユニット
Ｕ２    アンテナユニット
【図１】
2018011166.tif 000003
【図２】
2018011166.tif 000004
【図３】
2018011166.tif 000005
【図４】
2018011166.tif 000006
【図５】
2018011166.tif 000007
【図６】
2018011166.tif 000008